(57)【要約】  履物物品のためのテンショニング・システムは、モータと、モータと連絡しているリール部材と、紐とを備え、リール部材は、第１の端部から第２の端部へ延びる中心軸を含むシャフトと、シャフトに沿って配設されている少なくとも３つのフランジとを備える。少なくとも３つのフランジのうちの中央フランジは、中央フランジの第１の面から第２の面へ中央フランジを通って延在するアパーチャを含み、アパーチャは、中心軸と整合している。紐の一部分は、中央フランジの中のアパーチャを通って延在し、紐をリール部材と相互接続させており、紐は、テンショニング・システムが締め付けられた状態であるときに、中央フランジの両側に配設されているシャフトの部分の周りに巻き付けられるように構成されている。
2019509820.tif 000002
【特許請求の範囲】
【請求項１】
履物物品のためのテンショニング・システムであって、前記テンショニング・システムは、
中心軸に対して回転するように構成されたリール部材であって、前記リール部材は、
第１の端部から第２の端部へ延びる前記中心軸を含み、かつ、前記中心軸に対して平行である、シャフトと、
少なくとも１つのフランジであって、第２の面の反対側に第１の面を含み、前記シャフトに沿って配設されており、前記シャフトが前記第１の面から前記第２の面へ前記少なくとも１つのフランジの中心を通って延在する、少なくとも１つのフランジと、
を備え、
前記少なくとも１つのフランジは、前記フランジの前記第１の面から前記第２の面を通って前記中心軸に対して平行に延在するアパーチャを含む、リール部材と、
第１の端部、第２の端部、および中間部分を含む紐であって、前記中間部分の第１のセグメントは、前記アパーチャを通って延在している、紐と、
を備え、
前記リール部材を回転させることは、前記紐の前記中間部分の第２のセグメントを、前記第１の面に隣接する前記シャフト上に巻き付け、かつ、前記紐の前記中間部分の第３のセグメントを、前記第２の面に隣接する前記シャフト上に巻き付け、前記紐に掛かる張力を誘発する、テンショニング・システム。
【請求項２】
前記リール部材は、第１の回転方向に前記中心軸に対して回転し、前記紐を巻き付け、前記テンショニング・システムを締め付ける、請求項１に記載のテンショニング・システム。
【請求項３】
前記リール部材は、前記第１の回転方向とは反対の第２の回転方向に前記中心軸に対して回転し、前記紐を巻き出し、前記テンショニング・システムを緩める、請求項２に記載のテンショニング・システム。
【請求項４】
前記第１の回転方向および前記第２の回転方向のうちの少なくとも一方への回転は、前記テンショニング・システムに関連付けられたモータを使用して実施される、請求項３に記載のテンショニング・システム。
【請求項５】
前記第２の回転方向への回転は、前記テンショニング・システムが緩められた状態である間に、前記紐に張力を印加することによって実施される、請求項３に記載のテンショニング・システム。
【請求項６】
前記フランジは、前記シャフトから半径方向外向きに延在しており、前記アパーチャは、前記シャフトから間隔を離して配置されている、請求項１〜５のいずれか１項に記載のテンショニング・システム。
【請求項７】
前記アパーチャは、前記フランジの周囲縁部に隣接して位置付けされている、請求項１〜５のいずれか１項に記載のテンショニング・システム。
【請求項８】
履物物品のためのテンショニング・システムであって、
モータと、
前記モータと連絡しているリール部材と、
紐と、
を備え、
前記リール部材は、第１の端部から第２の端部へ延びる中心軸を含むシャフトと、前記シャフトに沿って配設されている少なくとも３つのフランジとを備え、
前記少なくとも３つのフランジのうちの中央フランジは、前記中央フランジの第１の面から第２の面へ前記中央フランジを通って延在するアパーチャを含み、前記アパーチャは、前記中心軸と整合しており、
前記紐の一部分は、前記中央フランジの中の前記アパーチャを通って延在し、前記紐を前記リール部材と相互接続させており、
前記紐は、前記テンショニング・システムが締め付けられた状態であるときに、前記中央フランジの両側に配設されている前記シャフトの部分の周りに巻き付けられるように構成されている、テンショニング・システム。
【請求項９】
前記テンショニング・システムが前記締め付けられた状態であるときに、紐の等しい部分が、前記フランジの両側に配設されている、請求項８に記載のテンショニング・システム。
【請求項１０】
前記テンショニング・システムが前記締め付けられた状態から緩められた状態になると、紐の等しい部分が、前記フランジの両側から巻き出される、請求項８または９に記載のテンショニング・システム。
【請求項１１】
前記アパーチャは、前記アパーチャの外周の周りにおいて面取りされている、請求項８または９に記載のテンショニング・システム。
【請求項１２】
前記紐は、前記アパーチャを通ってスライドして、前記テンショニング・システムの異なる部分における張力を調節する構成されている、請求項８または９に記載のテンショニング・システム。
【請求項１３】
前記紐は、前記アパーチャを通ってスライドして、履物物品のミッドフット領域に関連付けられた前記紐の第１の部分の量を調節し、かつ、前記履物物品のフォアフット領域に関連付けられた前記紐の第２の部分の量を調節する、請求項１２に記載のテンショニング・システム。
【請求項１４】
前記少なくとも３つのフランジは、第１の端部フランジ、前記中央フランジおよび第２の端部フランジを備え、
前記中央フランジは、前記第１の端部フランジと前記第２の端部フランジとの間において、前記シャフト上に位置付けされている、請求項８または９に記載のテンショニング・システム。
【請求項１５】
紐の第１の部分は、前記テンショニング・システムが前記締め付けられた状態であるときに、前記第１の端部フランジと前記中央フランジとの間に配設されている第１のシャフト・セクション上に巻き付けられ、
紐の第２の部分は、前記テンショニング・システムが前記締め付けられた状態であるときに、前記第２の端部フランジと前記中央フランジとの間に配設されている第２のシャフト・セクション上に巻き付けられる、請求項１４に記載のテンショニング・システム。
【請求項１６】
履物物品のテンショニング・システムのためのリール部材であって、前記リール部材は、
第１の端部から第２の端部へ延びる中心軸を含むシャフトと、
少なくとも１つのフランジであって、第２の面の反対側に第１の面を含み、前記シャフトから半径方向外向きに延在している、少なくとも１つのフランジと、
を備え、
前記少なくとも１つのフランジは、前記中心軸に整合し、かつ、前記第１の面から前記第２の面へ前記フランジを通って延在するアパーチャを含む、リール部材。
【請求項１７】
前記リール部材は、少なくとも３つのフランジをさらに備え、前記少なくとも３つのフランジのうちの中央フランジは、前記アパーチャを含む、請求項１６に記載のリール部材。
【請求項１８】
前記リール部材は、前記リール部材の前記中心軸に沿って両側端部に配設されている、第１の端部および第２の端部をさらに含み、
前記リール部材は、前記第２の端部に配設されているねじを含む、請求項１６または１７に記載のリール部材。
【請求項１９】
前記ねじは、テンショニング・システムのモータと連絡しているギヤを受け入れるように構成されており、前記中心軸に対して前記リール部材を回転させる、請求項１８に記載のリール部材。
【請求項２０】
前記リール部材は、前記アパーチャを通して紐を受け入れるように構成されており、
第１の回転方向への前記中心軸に対する前記リール部材の回転は、前記少なくとも１つのフランジの両側に、前記紐の部分を巻き付けるように構成されている、請求項１８に記載のリール部材。
【請求項２１】
中心軸に対して回転するように構成されたリール部材を取得する工程であって、前記リール部材は、
第１の端部から第２の端部へ延びる中心軸を含むシャフトと、
少なくとも１つのフランジであって、第２の面の反対側に第１の面を含み、前記シャフトに沿って配設されており、前記シャフトが前記第１の面から前記第２の面へ前記少なくとも１つのフランジの中心を通って延在する、少なくとも１つのフランジと、
を備え、
前記少なくとも１つのフランジは、前記フランジの前記第１の面から前記第２の面を通って前記中心軸に対して平行に延在するアパーチャを含む、工程と、
前記アパーチャを通して紐を延在させる工程であって、前記紐は、第１の端部、第２の端部および中間部分を含み、前記中間部分の第１のセグメントは、前記アパーチャを通って延在しており、前記紐の前記中間部分の第２のセグメントは、前記第１の面に隣接する前記シャフトの近位にあり、前記紐の前記中間部分の第３のセグメントは、前記第２の面に隣接する前記シャフトの近位にあり、前記紐に掛かる張力を誘発する、工程と、
を備える、方法。
【請求項２２】
第１の回転方向に前記中心軸に対して前記リール部材を回転させ、前記紐を巻き付け、前記テンショニング・システムを締め付ける工程をさらに備える、請求項１に記載の方法。
【請求項２３】
前記リール部材を回転させるために、前記リール部材と連絡してモータを配置する工程
をさらに備える、請求項２１または２２に記載の方法。
【請求項２４】
前記リール部材と前記モータとの間に少なくとも１つのギヤを連結する工程であって、前記モータは、前記ギヤを介して前記リール部材を回転させる、工程をさらに備える、請求項２３に記載の方法。
【請求項２５】
モータと連絡してリール部材を配置する工程であって、前記リール部材は、第１の端部から第２の端部へ延びる中心軸を含むシャフトと、前記シャフトに沿って配設されている少なくとも３つのフランジとを備え、前記少なくとも３つのフランジのうちの中央フランジは、前記中央フランジの第１の面から第２の面へ前記中央フランジを通って延在するアパーチャを含み、前記アパーチャは、前記中心軸と整合している、工程と、
前記アパーチャを通して紐の一部分を延在させ、前記紐を前記リール部材と相互接続させる工程と、
を備える、方法。
【請求項２６】
前記紐を延在させる工程は、前記フランジの両側に前記紐の等しい部分を配置する工程を含む、請求項２５に記載の方法。
【請求項２７】
第１の端部から第２の端部へ延びる中心軸を含むシャフトを形成する工程と、
前記シャフトに沿ってフランジを形成する工程であって、前記フランジは、第２の面の反対側に第１の面を含み、前記シャフトから半径方向外向きに延在している、工程と、
前記中心軸と整合している、前記第１の面から前記第２の面へ前記フランジを通って延在するアパーチャを形成する工程と、を備える、方法。
【請求項２８】
前記フランジは、中央フランジであり、前記方法は、
前記シャフトに沿って第１の端部フランジを形成する工程と、
前記中央フランジに関して前記第１の端部フランジの反対側に第２の端部フランジを形成する工程と、をさらに備える、請求項２７に記載の方法。
【請求項２９】
前記シャフトは、前記シャフトの前記中心軸に沿って両側端部に配設されている、第１の端部および第２の端部を含み、前記方法は、
前記第２の端部にねじを固定する工程をさらに備える、請求項２７または２８に記載の方法。
【請求項３０】
前記中心軸に対して前記リール部材を回転させるために、テンショニング・システムの前記リール部材およびモータと連絡してギヤを配置する工程をさらに備え、
前記ねじを固定する工程は、前記リール部材に対して前記ギヤを固定する、請求項２９に記載の方法。
【請求項３１】
前記アパーチャを通して紐の一部分を延在させ、前記紐を前記リール部材と相互接続させる工程をさらに備え、請求項２７または２８に記載の方法。
【発明の詳細な説明】
【技術分野】
【０００１】
本明細書で開示されている主題は、概して、履物製品のためのテンショニング・システムおよびリール部材に関する。
【背景技術】
【０００２】
履物物品は、一般的に、２つの主要な要素、すなわち、アッパーおよびソール構造体を含む。アッパーは、複数の材料要素（たとえば、テクスタイル、ポリマー・シート層、発泡体層、皮革、合成皮革）から形成されることが多く、複数の材料要素は、一緒に縫い合わせられ、または、接着剤によって結合され、快適にしっかりと足を受け入れるために、履物の内部に空洞を形成する。より具体的には、アッパーは、足の甲領域およびつま先領域にわたって、足の内側および外側に沿って、ならびに、足の踵領域の周りに延在する、構造体を形成している。また、アッパーは、紐掛けシステムを取り入れており、履物のフィット感を調節することが可能であり、アッパーの中の空洞へ足の進入、および空洞からの足の取り出しを可能にする。
【発明の概要】
【発明が解決しようとする課題】
【０００３】
従来から、履物物品の紐掛けシステムは、１つまたは複数の紐を含み、１つまたは複数の紐は、ハトメまたは他の紐掛け経路に通され、履物物品の着用者によって、または、着用者を支援する個人によって、手動で張力をかけられるかまたは締め上げられる。次いで、たとえば、紐の端部を一緒に結ぶことによって、または、紐を機械的な要素で留めることによって、紐を固定することができ、紐に掛かる張力を保存する。
【０００４】
伝達部によってモータをリールに連結する電動式紐掛けシステムまたはテンショニング・システムが開発されてきた。紐、ケーブル、または他の細長い部材が、リールに固定され、紐掛け経路を通される。モータによってリールを回すことによって、紐を張力下に置くかまたは張力から解放することができ、それによって、それぞれ、紐を締め付けるかまたは緩め、履物物品を締め上げるかまたは緩める。
【０００５】
しかし、紐をリールに固定する行為は、紐がそれ自体または他の物体に対してもつれることを防止するために、または、そうでなければ、紐がリールに対する紐の移動の自由を失うことを防止するために、技術的な課題を提示する。リールは、望ましくは、紐を固定し、また、紐がもつれることなく巻かれることおよび解かれる（ｕｎｓｐｏｏｌ）ことも可能にしながら、紐がリール上に巻き取るための空間を提供することが可能である。しかし、そのような目標は、さまざまな状況において、従来のリールの中で互いに調和しない可能性がある。リールに対して紐を固定することは、紐のもつれの増加を結果として生じさせ得るように、紐の移動を制限しようとする可能性がある。紐が巻かれるためのリール上の空間の提供は、紐を固定する場所を制限し、紐の移動の自由にさらなる限定を加える可能性がある。
【課題を解決するための手段】
【０００６】
他のリール設計と比較して、相対的に大きい移動の自由、およびもつれるリスクの低減を提供しながら、リールに対して紐を固定し、紐が巻かれるための空間を提供するリールが開発されてきた。とりわけ、リール部材は、シャフトを含み、少なくとも１つのフランジ、およびさまざまな例では、少なくとも３つのフランジが、シャフトから延在している。フランジのうちの１つ、例では、中央フランジが、アパーチャを含み、紐がアパーチャを通される。端部フランジは、第１および第２のシャフト・セクションを画定しており、その周りに紐が巻かれるように構成されている。
【０００７】
中央フランジの中にアパーチャを位置決めすることは、もつれる可能性を低減させるために紐に移動の自由を依然として提供しながら、リール部材に対して紐を固定するためのメカニズムを提供する。紐に掛かる摩擦は、アパーチャを面取りすることによって低減され得る。ねじまたは他の固定メカニズムは、テンショニング・システムの伝達部にリール部材を固定することが可能である。
【図面の簡単な説明】
【０００８】
【図１】テンショニング・システムを含む履物物品の例示的な実施形態の概略等角図。
【図２】テンショニング・システムを含む履物物品の例示的な実施形態の概略的な内側の側面図。
【図３】履物物品が想像線で示されている、テンショニング・システムの例示的な実施形態の概略的な内側の側面図。
【図４】テンショニング・システムを含む履物物品の例示的な実施形態の概略分解図。
【図５】リール部材を含むテンショニング・システムの例示的な実施形態の代表的な分解図。
【図６】テンショニング・システムの中に含まれるリール部材の例示的な実施形態の概略拡大図。
【図７】テンショニング・システムの中に含まれるリール部材の例示的な実施形態の断面図。
【図８】緩められた状態にあるテンショニング・システムの例示的な実施形態の代表的な図。
【図９】締め付けられた状態にあるテンショニング・システムの例示的な実施形態の代表的な図。
【図１０】面取りされたアパーチャを備えたリール部材の代替的な実施形態の断面図。
【図１１】テンショニング・システムの中の張力を調節する代表的な図。
【図１２】テンショニング・システムの中の張力を調節する別の代表的な図。
【図１３】例示的な実施形態において、履物物品のためのテンショニング・システムを作製するためのフローチャート。
【発明を実施するための形態】
【０００９】
いくつかの実施形態が、限定としてではなく例として、添付の図面の図の中に図示されている
例示的な方法およびシステムは、履物物品のためのテンショニング・システムおよびリール部材に関する。例は、単に、可能な変形例の典型となるに過ぎない。明示的にそうでないことを述べていない限り、構成要素および機能は、随意的なものであり、組み合わせられてもまたは細分されてもよく、動作は、順番に変化することが可能であり、または、組み合わせられてももしくは細分されてもよい。以下の説明において、説明の目的のために、多数の具体的な詳細が、例示的な実施形態の徹底的な理解を提供するために述べられている。しかし、本主題は、これらの具体的な詳細なしに実施され得るということが当業者に明らかになることとなる。
【００１０】
図１は、テンショニング・システム３００を備えて構成された履物物品１００の例示的な実施形態の概略等角図を図示している。本実施形態では、履物物品１００は、以降では、単に物品１００とも称されており、履物物品１００は、運動靴の形態で示されている。しかし、他の実施形態では、テンショニング・システム３００は、それに限定されないが、ハイキング・ブーツ、サッカー・シューズ、フットボール・シューズ、スニーカ、ランニング・シューズ、クロス・トレーニング・シューズ、ラグビー・シューズ、バスケットボール・シューズ、ベースボール・シューズ、および他の種類のシューズを含む、任意の他の種類の履物とともに使用され得る。そのうえ、いくつかの実施形態では、物品１００は、それに限定されないが、スリッパ、サンダル、ハイヒールの履物、ローファ、および任意の他の種類の履物を含む、さまざまな種類のスポーツ関連以外の履物とともに使用するように構成され得る。下記にさらに詳細に議論されているように、テンショニング・システムは、履物に限定されなくてもよく、他の実施形態では、テンショニング・システムは、衣類、スポーツウェア、スポーツ機器、および他の種類のアパレルを含む、さまざまな種類のアパレルとともに使用され得る。さらなる他の実施形態では、テンショニング・システムは、医療用ブレースなどのブレースとともに使用され得る。
【００１１】
参照の目的のために、物品１００は、図１および図２に示されているように、３つの一般的な領域、すなわち、フォアフット領域１０、ミッドフット領域１２、およびヒール領域１４に分割され得る。フォアフット領域１０は、一般的に、つま先、および中足骨と指骨を接続する関節に対応する物品１００の部分を含む。ミッドフット領域１２は、一般的に、足の土踏まず領域に対応する物品１００の部分を含む。ヒール領域１４は、一般的に、踵骨を含む足の後方部分に対応している。また、物品１００は、内側１６および外側１８を含み、それらは、フォアフット領域１０、ミッドフット領域１２、およびヒール領域１４のそれぞれを通って延在しており、物品１００の両側に対応している。より具体的には、内側１６は、足の内側の領域（すなわち、他方の足の方を向く表面）に対応しており、外側１８は、足の外側の領域（すなわち、他方の足から離れる方を向く表面）に対応している。フォアフット領域１０、ミッドフット領域１２、およびヒール領域１４、ならびに、内側１６、外側１８は、物品１００の正確な領域の境界を定めることは意図されていない。むしろ、フォアフット領域１０、ミッドフット領域１２、およびヒール領域１４、ならびに、内側１６、外側１８は、以下の議論を支援するために、物品１００の一般的な領域を表すことが意図されている。また、物品１００に加えて、フォアフット領域１０、ミッドフット領域１２、およびヒール領域１４、ならびに、内側１６、外側１８は、ソール構造体、アッパー、およびその個々の要素に適用され得る。
【００１２】
一貫性および便宜のために、方向の形容詞が、また、図示されている実施形態に対応するこの詳細な説明の全体を通して用いられている。この詳細な説明の全体を通して、および特許請求の範囲の中で使用されているような「横」または「横方向」という用語は、構成要素または要素の幅に沿って延在する方向を表している。たとえば、物品１００の横方向は、内側１６と外側１８との間に延在することが可能である。追加的に、この詳細な説明の全体を通して、および特許請求の範囲の中で使用されているような「長手」または「長手方向」という用語は、要素または構成要素（たとえば、ソール構造体またはアッパーなど）の長さまたは広がりにわたって延在する方向を表している。いくつかの実施形態では、物品１００の長手方向は、フォアフット領域１０からヒール領域１４へ延在することが可能である。また、これらの方向の形容詞のそれぞれは、アッパーおよび／またはソール構造体などの、履物物品の個々の構成要素に適用され得るということが理解されることとなる。それに加えて、垂直方向は、長手方向および横方向によって画定される水平方向の表面に対して垂直な方向を表している。これらの方向の形容詞のそれぞれは、物品１００を含む実施形態に示されているさまざまな構成要素、およびテンショニング・システム３００の構成要素に適用され得るということが理解されることとなる。
【００１３】
いくつかの実施形態では、履物物品１００は、ソール構造体１１０およびアッパー１２０を含むことが可能である。一般的に、アッパー１２０は、任意のタイプのアッパーであることが可能である。とりわけ、アッパー１２０は、任意の設計、形状、サイズ、および／または色彩を有することが可能である。たとえば、物品１００がバスケットボール・シューズである実施形態では、アッパー１２０は、足首に高いサポートを提供するように形状決めされたハイ・トップ・アッパーであることが可能である。物品１００がランニング・シューズである実施形態では、アッパー１２０は、ロー・トップ・アッパーであることが可能である。
【００１４】
いくつかの実施形態では、ソール構造体１１０は、物品１００のためのトラクションを提供するように構成され得る。トラクションを提供することに加えて、ソール構造体１１０は、ウォーキング、ランニング、または、他の歩行活動の間に、足と地面との間で圧縮されるときに、地面反力を軽減することが可能である。ソール構造体１１０の構成は、異なる実施形態において、さまざまな従来のまたは非従来の構造体を含むように、著しく変化することが可能である。いくつかのケースでは、ソール構造体１１０の構成は、ソール構造体１１０がその上で使用され得る１つまたは複数のタイプの地面表面にしたがって構成され得る。地面表面の例は、それに限定されないが、天然芝、人工芝、土、および他の表面を含む。
【００１５】
異なる実施形態では、ソール構造体１１０は、異なる構成要素を含むことが可能である。たとえば、ソール構造体１１０は、アウトソール、ミッドソール、および／またはインソールを含むことが可能である。それに加えて、いくつかのケースでは、ソール構造体１１０は、地面表面とのトラクションを増加させるように構成された１つまたは複数のクリート部材またはトラクション要素を含むことが可能である。
【００１６】
例示的な実施形態では、ソール構造体１１０は、アッパー１２０に固定されており、物品１００が着用されているときに、足と地面との間に延在している。アッパー１２０は、足を受け入れるための、およびソール構造体１１０に対して足を固定するための、物品１００の中に内部空洞を画定している。空洞は、足を収容するように形状決めされており、足の外側に沿って、足の内側に沿って、足の上方に、踵の周りに、および足の下に延在している。また、アッパー１２０は、カラーを含むことが可能であり、カラーは、少なくともヒール領域１４の中に位置付けされており、スロート開口部１４０を形成している。アッパー１２０の内部空洞へのアクセスは、スロート開口部１４０によって提供される。より具体的には、足は、スロート開口部１４０を通してアッパー１２０の中へ挿入することができ、またスロート開口部１４０を通してアッパー１２０から引き出すことができる。
【００１７】
いくつかの実施形態では、物品１００は、紐掛けシステム１３０を含むことが可能である。紐掛けシステム１３０は、ヒール領域１４の中のカラーおよびスロート開口部１４０から前方へ、ミッドフット領域１２の中の足の甲に対応する紐掛け領域１３２を越えて、フォアフット領域１０に隣接する領域へ延在している。紐掛け領域１３２は、アッパー１２０の両側にある外側縁部１３３と内側縁部１３４との間に延在している。紐掛けシステム１３０は、物品１００のアッパー１２０の中の足を固定するように構成されたさまざまな構成要素を含み、また、本明細書で図示および説明されている構成要素に加えて、履物用アッパーとともに従来から含まれている追加的なまたは随意的な構成要素をさらに含むことが可能である。
【００１８】
この実施形態では、複数のストラップ部材１３６が、紐掛け領域１３２の部分を横切って延在している。テンショニング・システム３００（下記に詳細に説明されている）とともに、複数のストラップ部材１３６は、足のプロポーションを収容するために、着用者が、アッパー１２０の寸法を修正することを支援する。例示的な実施形態では、複数のストラップ部材１３６は、外側縁部１３３と内側縁部１３４との間の紐掛け領域１３２を横切って横方向に延在している。さらに下記に説明されることとなるように、ストラップ部材１３６およびテンショニング・システム３００の紐３４０は、着用者が足の周りのアッパー１２０を締め付けることを可能にし、また、着用者がアッパー１２０を緩めることを可能にし、内部空洞への足の進入、および内部空洞からの足の取り出しを促進させる（すなわち、スロート開口部１４０を通して）。
【００１９】
いくつかの実施形態では、アッパー１２０は、タン１３８を含み、タン１３８は、物品１００の中に配設されているときの着用者の足の上方に延在しており、物品１００の快適性を強化する。この実施形態では、タン１３８は、紐掛け領域１３２を通って延在しており、アッパー１２０の対向する外側縁部１３３と内側縁部１３４との間の開口部の中を移動することが可能である。いくつかのケースでは、タン１３８は、紐および／またはストラップ部材１３６の間に延在することが可能であり、クッション材を提供し、着用者の足の上部に対して紐またはストラップ部材１３６によって印加される張力を分散させる。この構成によって、タン１３８は、物品１００の快適性を強化することが可能である。
【００２０】
いくつかの実施形態は、着用者の足の周りで物品を締め付けることおよび／または緩めることを含む、着用者の足に対する物品の調節を促進させるための装備を含むことが可能である。いくつかの実施形態では、これらの装備は、テンショニング・システムを含むことが可能である。いくつかの実施形態では、テンショニング・システムは、それに限定されないが、張力部材、紐掛け案内部、テンショニング・アッセンブリ、ハウジング・ユニット、モータ、ギヤ、スプールもしくはリール、および／または電源を含むように、他の構成要素をさらに含むことが可能である。そのような構成要素は、着用者の足に固定すること、張力を調節すること、および着用者の足へのカスタム・フィットを提供することを支援することが可能である。これらの構成要素、およびさまざまな実施形態において、どのようにそれらが物品を着用者の足に固定し、張力を調節し、カスタム・フィットを提供することができるかということが、さらに詳細に下記に説明されることとなる。
【００２１】
ここで図３を参照すると、物品１００は、テンショニング・システム３００の例示的な実施形態を含む。テンショニング・システム３００の実施形態は、任意の適切なテンショニング・システムを含むことが可能であり、２０１３年８月２０日に出願された「電動式テンショニング・システム（Ｍｏｔｏｒｉｚｅｄ  Ｔｅｎｓｉｏｎｉｎｇ  Ｓｙｓｔｅｍ）」という標題のビアーズら（Ｂｅｅｒｓ  ｅｔ  ａｌ．）による米国特許出願公開第２０１４／００６８８３８号明細書（ここで、米国出願第１４／０１４，４９１号）、２０１３年８月２０日に出願された「センサーを備えた電動式テンショニング・システム（Ｍｏｔｏｒｉｚｅｄ  Ｔｅｎｓｉｏｎｉｎｇ  Ｓｙｓｔｅｍ  ｗｉｔｈ  Ｓｅｎｓｏｒｓ）」という標題のビアーズ（Ｂｅｅｒｓ）による米国特許出願公開第２０１４／００７００４２号明細書（ここで、米国出願第１４／０１４，５５５号）、および２０１３年９月２０日に出願された「除去可能能な電動式調節システムを有する履物（Ｆｏｏｔｗｅａｒ  Ｈａｖｉｎｇ  Ｒｅｍｏｖａｂｌｅ  Ｍｏｔｏｒｉｚｅｄ  Ａｄｊｕｓｔｍｅｎｔ  Ｓｙｓｔｅｍ）」という標題のビアーズ（Ｂｅｅｒｓ）による米国特許出願公開第２０１４／００８２９６３号明細書（ここで、米国出願第１４／０３２，５２４号）のうちの１つまたは複数の開示されているシステムのいずれかを組み込むことを含み、これらの出願は、その全体が参照により本明細書に援用されている（集合的に、本明細書で「自動紐掛けケース」と称される）。
【００２２】
異なる実施形態では、テンショニング・システムは、張力部材を含むことが可能である。この詳細な説明および特許請求の範囲の全体を通して使用されている「張力部材」という用語は、概して細長い形状および高い引張強度を有する任意の構成要素を表している。また、いくつかのケースでは、張力部材は、一般的に低い弾性を有することが可能である。異なる張力部材の例は、それに限定されないが、紐、ケーブル、ストラップ、およびコードを含む。いくつかのケースでは、張力部材は、衣類および／または履物物品を含む、物品を締めるおよび／または締め付けるために使用され得る。他のケースでは、張力部材は、いくつかの構成要素またはシステムを作動させる目的のために、所定の場所に張力を印加するために使用され得る。
【００２３】
例示的な実施形態では、テンショニング・システム３００は、紐３４０の形態の張力部材を含む。紐３４０は、アッパー１２０の内部空洞の寸法を修正し、それによって、着用者の足の周りのアッパー１２０を締め付ける（または、緩める）ように構成されている。１つの実施形態では、紐３４０は、アッパー１２０を締め付けるために、紐掛け領域１３２の対向する外側縁部１３３および内側縁部１３４を互いに近付けるように、紐掛けシステム１３０の複数のストラップ部材１３６を移動させるように構成されていてもよい。また、同様に、紐３４０は、アッパー１２０を緩めるために、外側縁部１３３および内側縁部１３４が離れるように移動するように、複数のストラップ部材１３６を反対側方向に移動させるように構成されてもよい。この構成によって、紐３４０は、物品１００の張力および／またはフィット感を調節することを支援することが可能である。
【００２４】
いくつかの実施形態では、紐３４０は、ストラップ部材１３６に接続または接合されてもよく、紐３４０の移動が複数のストラップ部材１３６に伝えられるようになっている。たとえば、紐３４０は、接着剤または他の適切なメカニズムを使用して、結合されるか、縫い合わせられるか、溶融されるか、または取り付けられ、紐掛け領域１３２を横切って延在する紐３４０の部分を、複数のストラップ部材１３６のそれぞれのストラップ部材に取り付けてもよい。この構成によって、テンショニング・システム３００を介して張力が紐３４０に印加され、紐掛けシステム１３０を締め付けるかまたは緩めるときに、紐３４０は、開位置または閉位置の間でストラップ部材１３６を移動させることが可能である。
【００２５】
いくつかの実施形態では、紐３４０は、アッパー１２０の部分を横切って紐３４０を通すさまざまな紐掛け案内部３４２を通過するように構成されてもよい。いくつかのケースでは、紐掛け案内部３４０の端部は、紐掛け領域１３２の外側縁部１３３および内側縁部１３４に隣接して終端することが可能である。いくつかのケースでは、紐掛け案内部３４２は、アッパー上の従来のハトメと同様の機能を提供することが可能である。とりわけ、紐３４０が引っ張られるまたは張力をかけられるときに、紐掛け領域１３２は、全体的に収縮し、アッパー１２０が足の周りにおいて締め付けられるようになっている。１つの実施形態では、紐掛け案内部３４２は、任意の内部層またはライニングを含む、アッパー１２０を形成する材料の層同士の間に通されるかまたは位置付けされ得る。
【００２６】
いくつかの実施形態では、紐掛け案内部３４２は、物品１００のアッパー１２０上に所定の構成で紐３４０を配置させるために使用され得る。図３〜図５を参照すると、１つの実施形態では、紐３４０は、曲がりくねった構成または内側外側が交互になる構成（ａｌｔｅｒｎａｔｉｎｇ  ｓｉｄｅｓ  ｃｏｎｆｉｇｕｒａｔｉｏｎ）で、アッパー１２０上に配置されている。いくつかの他の実施形態では、紐３４０は、紐掛け案内部３４２を介して、異なる構成で配置され得る。
【００２７】
いくつかの実施形態では、テンショニング・システム３００は、リール部材３１０を含む。リール部材３１０は、テンショニング・システム３００のテンショニング・アッセンブリ３０２の中の構成要素である。リール部材３１０は、中心軸に対して両側方向に回転するように構成されており、紐３４０を巻き付けるおよび／または巻き出し、それによって、テンショニング・システム３００を締め付けるかまたは緩める。
【００２８】
例示的な実施形態では、リール部材３１０は、中心軸に沿って延在するシャフト３１２と、シャフト３１２から半径方向外向きに延在する複数のフランジとを有する、リールまたはスプールである。複数のフランジは、概して円形または丸形の形状を有することが可能であり、シャフト３１２がそれぞれのフランジの中心に配設されている。フランジは、紐３４０の巻き付けられた部分がリール部材３１０上に分離および組織された状態に維持することを支援し、テンショニング・システム３００が締め付けられるかまたは緩められるときに、巻き付けまたは巻き出しの間に、紐３４０がもつれた状態または鳥の巣のような状態にならないようになっている。
【００２９】
例示的な実施形態では、リール部材３１０は、中央フランジ３２２を含むことが可能であり、中央フランジ３２２は、リール部材３１０のシャフト３１２に沿っておおよそ中間点に位置付けされている。中央フランジ３２２は、アパーチャ３３０を含むことが可能であり、アパーチャ３３０は、中央フランジ３２２の両面の間に延在する開口部を形成している。アパーチャ３３０は、紐３４０を受け入れるように構成されている。図３に示されているように、紐３４０は、中央フランジ３２２の中のアパーチャ３３０を通して、中央フランジの一方の側または面から、他方の側または反対側の面へ延在している。この構成によって、紐３４０の部分が、中央フランジ３２２の両側に配設され、紐３４０は、リール部材３１０に相互接続される。
【００３０】
１つの実施形態では、リール部材３１０は、シャフト３１２上に少なくとも３つのフランジを含むことが可能であり、少なくとも３つのフランジは、互いから間隔を離して配置されている。この実施形態では、リール部材３１０は、第１の端部フランジ３２０、中央フランジ３２２、および第２の端部フランジ３２４を含む。中央フランジ３２２は、第１の端部フランジ３２０と第２の端部フランジ３２４との間に、シャフト３１２に沿って位置付けされている。第１の端部フランジ３２０および第２の端部フランジ３２４は、中央フランジ３２２の両側において、リール部材３１０の両側端部においてシャフト３１２上に位置付けされている。第１の端部フランジ３２０および／または第２の端部フランジ３２４は、リール部材３１０上に巻き付けられている紐３４０の部分がリール部材３１０の端部から滑り落ちないように維持することを支援することが可能であり、また、テンショニング・システム３００が締め付けられるかまたは緩められるときに、巻き付けまたは巻き出しの間に、紐３４０がもつれた状態または鳥の巣のような状態になることを防止することを支援することが可能である。
【００３１】
いくつかの実施形態では、テンショニング・システム３００のテンショニング・アッセンブリ３０２は、ソール構造体１１０の中のキャビティー１１２の中に位置付けされ得る。ソール構造体１１０は、上側表面１１１を含むことが可能であり、上側表面１１１は、ソール構造体１１０の上部のアッパー１２０に隣接して配設されている。上側表面１１１は、アッパー１２０、または、アッパー１２０の構成要素に、直接的にまたは間接的に取り付けられるかまたは接合され、ソール構造体１１０およびアッパー１２０を一緒に固定することが可能である。また、ソール構造体１１０は、上側表面１１１の反対側に配設されている下側表面または地面係合表面１１３を含むことが可能である。地面係合表面１１３は、ソール構造体１１０のアウトソールまたは他の構成要素であることが可能であり、ソール構造体１１０は、物品１００が着用されているときに、地面表面と接触状態になるように構成されている。
【００３２】
例示的な実施形態では、キャビティー１１２は、上側表面１１１から下側表面１１３に向けて延在するソール構造体の中の開口部である。テンショニング・システム３００のテンショニング・アッセンブリ３０２は、ソール構造体１１０の上部からキャビティー１１２の中に挿入され得る。例示的な実施形態では、キャビティー１１２は、テンショニング・アッセンブリ３０２の長方形形状に対応するおおよそ長方形形状を有している。それに加えて、キャビティー１１２は、テンショニング・アッセンブリ３０２と同様のサイズおよび寸法のものであることが可能であり、テンショニング・アッセンブリ３０２がキャビティー１１２の中に一致してフィットするようになっている。この構成によって、テンショニング・アッセンブリ３０２および関連の構成要素は、物品１００が着用されているときに、下側表面１１３によって地面表面との接触から保護され得る。
【００３３】
ここで図４を参照すると、ソール構造体１１０、アッパー１２０、紐掛けシステム１３０、およびテンショニング・システム３００を含む、物品１００の分解図が図示されている。この実施形態では、紐掛け案内部３４２を通る紐３４０の構成は、代替的に、内側１６にある内側縁部１３４と外側１８にある外側縁部１３３との間で、アッパー１２０の紐掛け領域１３２を横切って延在すると理解することができる。
【００３４】
それに加えて、紐３４０がテンショニング・システム３００を締め付けることおよび緩めることを促進させるために、紐３４０の両端部は、異なる場所において、アッパー１２０にアンカー固定されている。図４に示されているように、第１のアンカー３４４は、アッパー１２０のヒール領域１４の中のスロート開口部１４０の近くでまたはそれに隣接して、紐３４０の一方の端部をアッパー１２０に固定しており、また、第２のアンカー３４６は、フォアフット領域１０の近くでまたはフォアフット領域１０に隣接して、紐３４０の反対側端部をアッパー１２０に固定している。第１のアンカー３４４および第２のアンカー３４６は、それに限定されないが、結び目を作ること、結合、縫製、接着剤、または他の取り付けの形態を含む、任意の適切なメカニズムによって、アッパー１２０に取り付けられるかまたは接合され得る。
【００３５】
図５は、リール部材３１０および紐３４０を含む、テンショニング・システム３００の構成要素の例示的な実施形態の分解図を図示している。いくつかの実施形態では、テンショニング・システム３００は、テンショニング・アッセンブリ３０２を含むことが可能であり、テンショニング・アッセンブリ３０２は、紐３４０および／またはストラップ部材１３６を含む、紐掛けシステム１３０の構成要素の張力を調節するように構成されており、着用者の足の周りの物品１００のフィット感を確保し、調節し、および修正する。テンショニング・アッセンブリ３０２は、紐またはストラップなどのような、張力部材の張力を調節するための任意の適切なデバイスであることが可能であり、また、上記に説明されている自動紐掛けケースに説明されているデバイスまたはメカニズムのいずれかを含むことが可能である。
【００３６】
図５を参照すると、テンショニング・アッセンブリ３０２のいくつかの構成要素が、ハウジング・ユニット３０４の一部分の中に示されている。いくつかの実施形態では、ハウジング・ユニット３０４は、テンショニング・アッセンブリ３０２の構成要素の配置を最適化するように形状決めされている。１つの実施形態では、テンショニング・アッセンブリ３０２は、おおよそ長方形形状を有するハウジング・ユニット３０４を含む。しかし、ハウジング・ユニット３０４の形状および構成は、テンショニング・システム３００の中で使用されるテンショニング・アッセンブリのタイプおよび構成にしたがって修正され得るということが理解されるべきである。
【００３７】
この実施形態では、テンショニング・アッセンブリ３０２は、モータ３５０に機械的に連結されているリール部材３１０を含む。いくつかの実施形態では、モータ３５０は、電気モータを含むことが可能である。しかし、他の実施形態では、モータ３５０は、当技術分野で知られている任意の種類の非電気モータを含むことが可能である。使用され得る異なるモータの例は、それに限定されないが、ＤＣモータ（たとえば、永久磁石モータ、ブラシ付きＤＣモータ、ブラシレスＤＣモータ、スイッチト・リラクタンス・モータなど）、ＡＣモータ（たとえば、スライディング・ロータを備えたモータ、同期電気モータ、非同期電気モータ、誘導モータなど）、ユニバーサル・モータ、ステッパー・モータ、圧電モータ、および当技術分野で知られている任意の他の種類のモータを含む。
【００３８】
モータ３５０は、クランクシャフト３５２をさらに含むことが可能であり、クランクシャフト３５２は、テンショニング・アッセンブリ３０２の１つまたは複数の構成要素を駆動するために使用され得る。たとえば、ギヤ３５４は、リール部材３１０に機械的に連結されてもよく、また、モータ３５０のクランクシャフト３５２によって駆動されてもよい。この構成によって、リール部材３１０は、モータ３５０と連絡して配置され、中心軸に対して両側方向に回転することができる。
【００３９】
参照の目的のために、以下の詳細な説明は、中心軸に対する１つまたは複数の構成要素の回転方向を説明する際に、「第１の回転方向」および「第２の回転方向」という用語を使用する。便宜上の目的のために、第１の回転方向および第２の回転方向は、リール部材３１０のシャフト３１２の中心軸に対する回転方向を表しており、一般的に、反対の回転方向である。第１の回転方向は、シャフト３１２の第１の端部６００の視点から構成要素を見たときに、中心軸に対する構成要素の反時計回りの回転を表すことが可能である。次いで、第２の回転方向は、同じ視点から構成要素を見たときに、中心軸に対する構成要素の時計回りの回転によって特徴付けされ得る。
【００４０】
いくつかの実施形態では、テンショニング・アッセンブリ３０２は、電源３６０を含む、モータ３５０を給電するための装備を含むことが可能である。電源３６０は、テンショニング・アッセンブリ３０２およびモータ３５０に給電および制御するように構成された電池および／または制御ユニット（図示せず）を含むことが可能である。電源３６０は、モータ３５０およびテンショニング・システム３０２に給電するために使用され得る１つまたは複数のタイプの電池技術の任意の適切な電池であることが可能である。使用され得る１つの可能性のある電池技術は、リチウム・ポリマー電池である。電池（または、複数の電池）は、平坦な、円筒形状の、またはコイン形状としてパッケージ化された、再充電可能なまたは交換可能なユニットであることが可能である。それに加えて、電池は、単一のセルであるか、または、直列もしくは並列の複数のセルであることが可能である。他の適切な電池および／または電源が、電源３６０のために使用され得る。
【００４１】
示されている実施形態では、モータ３５０、電源３６０、リール部材３１０、クランクシャフト３５２、およびギヤ３５４は、すべて、制御ユニットまたは他の要素などのような、追加的な構成要素とともに、ハウジング・ユニット３０４の中に配設されており、ハウジング・ユニット３０４は、テンショニング・アッセンブリ３０２の中のこれらの構成要素のすべてを受け入れて保護するように機能することが可能である。しかし、他の実施形態では、これらの構成要素のうちの任意の１つまたは複数が、アッパーおよび／またはソール構造体を含む、物品の任意の他の部分の中に配設され得る。
【００４２】
ハウジング・ユニット３０４は、開口部３０５を含み、開口部３０５は、紐３４０がテンショニング・アッセンブリ３０２の中へ進入してリール部材３１０に係合することを可能にする。上記に議論されているように、紐３４０は、リール部材３１０の中央フランジ３２２の中のアパーチャ３３０を通って延在し、紐３４０とリール部材３１０とを相互接続させる。紐３４０が中央フランジ３２２のアパーチャ３３０を通して配設されているときに、紐３４０は、中央フランジ３２２の一方の側に位置付けされている第１の紐部分５００と、中央フランジ３２２の反対側に位置付けされている第２の紐部分５０２とを含むことが可能である。したがって、ハウジング・ユニット３０４の中の開口部３０５は、紐３４０の第１の紐部分５００および第２の紐部分５０２の両方が、テンショニング・アッセンブリ３０２のハウジング・ユニット３０４の内側にあるリール部材３１０の周りに巻き付くことおよび巻き出すことを可能にする。
【００４３】
ここで図６を参照すると、リール部材３１０の例示的な実施形態の拡大図が図示されている。この実施形態では、リール部材３１０は、中心軸を有しており、中心軸は、リール部材３１０の長手方向の長さに沿って、第１の端部６００から第２の端部６０２へ延在している。上記に説明されているように、リール部材３１０は、第１の回転方向および反対側の第２の回転方向に、中心軸に対して回転するように構成されており、シャフト３１２の一部分の周りに紐３４０を巻き付けるまたは巻き出す。それに加えて、リール部材３１０は、ねじ６０３を含むことが可能であり、ねじ６０３は、第２の端部６０２に配設されており、第２の端部６０２は、ギヤ３５４および／またはクランクシャフト３５２を含む、１つまたは複数のギヤ・アッセンブリ・構成要素と係合するように構成されており、モータ３５０と連絡した状態になるようになっている。この構成によって、モータ３５０は、第１の回転方向および第２の回転方向に、中心軸に対してリール部材３１０を回転させることが可能である。
【００４４】
いくつかの実施形態では、リール部材３１０のシャフト３１２の一部分は、シャフト３１２から離れるように延在する複数のフランジを参照して説明され得る。たとえば、第１のシャフト・セクション６１０は、第１の端部フランジ３２０と中央フランジ３２２との間に延在しており、第２のシャフト・セクション６１２は、第２の端部フランジ３２４と中央フランジ３２２との間に延在している。また、シャフト３１２は、第１の端部フランジ３２０から第１の端部６００へ延在する第３のシャフト・セクション６１４と、第２の端部フランジ３２４から第２の端部６０２へ延在する第４のシャフト・セクション６１６とを含むことが可能である。いくつかの実施形態では、ねじ６０３は、第４のシャフト・セクション６１６上に配設され得る。
【００４５】
いくつかの実施形態では、複数のフランジのそれぞれは、リール部材３１０の両側端部を向くように配向される表面を備えた２つの対向する面を有している。たとえば、第１の端部フランジ３２０は、シャフト３１０の第１の端部６００を向くように配向された表面を有する外側面６２０と、第２の端部６０２を向くように配向された表面を有する反対側の内側面６２１とを有している。同様に、第２の端部フランジ３２４は、第２の端部６０２を向くように配向された表面を有する外側面６２５と、シャフト３１０の第１の端部６００を向くように配向された表面を有する反対側の内側面６２４とを有している。中央フランジ３２２は、第１の面６２２および反対側の第２の面６２３を含む。中央フランジ３２２の第１の面６２２は、シャフト３１２の第１の端部６００を向くように配向され、第１の端部フランジ３２０の内側面６２１の方を向いている、表面を有している。中央フランジ３２２の第２の面６２３は、シャフト３１２の第２の端部６０２を向くように配向され、第２の端部フランジ３２４の内側面６２４の方を向いている、表面を有している。
【００４６】
例示的な実施形態では、中央フランジ３２２は、上記に説明されているアパーチャ３３０を含む。アパーチャ３３０は、中央フランジ３２２の第１の面６２２と第２の面６２３との間に延在し、かつ、開口部を提供しており、この開口部は、紐３４０が中央フランジ３２２の両側または両面の間に延在することを可能にする。いくつかの実施形態では、中央フランジ３２２は、シャフト３１２から半径方向外向きに延在しており、アパーチャ３３０は、中央フランジ３２２上に位置付けされており、シャフト３１２から間隔を離して配置されるようになっている。この実施形態では、アパーチャ３３０は、中央フランジ３２２の周囲縁部に隣接して位置付けされている。異なる実施形態では、中央フランジ３２２の周囲縁部とアパーチャ３３０の場所との間の距離は、変化することが可能である。たとえば、距離は、テンショニング・アッセンブリ３０２および／もしくはモータ３５０の回転速度に基づいて決定され得るか、または、テンショニング・システム３００の中の所望の張力に基づいて決定され得る。
【００４７】
図６に示されているように、紐３４０が中央フランジ３２２内のアパーチャ３３０を通って延在するときに、紐３４０は、中央フランジ３２２の一方の側に配設されている第１の紐部分５００と、中央フランジ３２２の反対側に配設されている第２の紐部分５０２とを含むことが可能である。この実施形態では、第１の紐部分５００は、第１の面６２２に対応する中央フランジ３２２の側に配設されており、第２の紐部分５０２は、第２の面６２３に対応する中央フランジ３２２の側に配設されている。この構成によって、紐３４０は、リール部材３１０に相互接続され得る。
【００４８】
さらに下記に説明されることとなるように、リール部材３１０は、第１の回転方向または第２の回転方向に回転するように動作可能であり、紐３４０を巻き付けるかまたは巻き出し、それによって、テンショニング・システム３００を締め付けるかまたは緩める。たとえば、テンショニング・システム３００のモータ３５０および／または関連の制御ユニットは、リール部材３１０の回転を制御するために使用可能であり、この制御は、自動的な動作を含み、および／またはユーザ入力に基づく。テンショニング・システム３００が締め付けられるときに、紐３４０がアパーチャ３３０において中央フランジ３２２に相互接続されている状態で、リール部材３１０が回転する。この回転は、第１の紐部分５００および第２の紐部分５０２が中央フランジ３２２の両側のシャフト３１２の部分に巻き付けられることを引き起こす。具体的には、第１の紐部分５００は、第１のシャフト・セクション６１０上に巻き付けられ、第２の紐部分５０２は、第２のシャフト・セクション６１２上に巻き付けられる。
【００４９】
この実施形態では、中央フランジ３２２の第１の面６２２、および第１の端部フランジ３２０の内側面６２１は、第１のシャフト・セクション６１０の両端部にある境界または壁部としての役割を果たし、テンショニング・アッセンブリ３０２によって紐３４０の巻き付けおよび巻き出しの間に、第１の紐部分５００がリール部材３１０の第１のシャフト・セクション６１０上に位置付けされるように維持することを支援する。同様の様式で、中央フランジ３２２の第２の面６２３、および第２の端部フランジ３２４の内側面６２４は、第２のシャフト・セクション６１２の両端部にある境界または壁部としての役割を果たし、テンショニング・アッセンブリ３０２によって紐３４０の巻き付けおよび巻き出しの間に、第２の紐部分５０２がリール部材３１０の第２のシャフト・セクション６１２上に位置付けされるように維持することを支援する。この構成によって、第１の紐部分５００および第２の紐部分５０２を含む、紐３４０は、テンショニング・システム３００の動作の間に、もつれた状態または鳥の巣のような状態になることを防止され得る。
【００５０】
図７は、リール部材３１０の断面図を図示しており、紐３４０とテンショニング・システム３００の中のリール部材３１０との相互接続を示している。この実施形態では、紐３４０の第１の紐部分５００は、中央フランジ３２２の第１の面６２４の表面の中のアパーチャ３３０を通って延在しており、紐３４０の第２の紐部分５０２は、中央フランジ３２２の反対側の第２の面６２３の表面の中のアパーチャ３３０から外向きに延在している。この構成によって、紐３４０は、中央フランジ３２２の中のアパーチャ３３０を介してリール部材３１０に相互接続されており、中心軸に対するリール部材３１０の回転が、第１の紐部分５００および第２の紐部分５０２が第１のシャフト・セクション６１０および第２のシャフト・セクション６１２の周りにそれぞれ巻き付くことを引き起こすこととなるようになっている。
【００５１】
いくつかの実施形態では、テンショニング・システム３００は、少なくとも締め付けられた状態と緩められた状態との間で制御されるように動作可能である。しかし、異なる実施形態では、テンショニング・システム３００は、完全に締め付けられた状態および完全に緩められた状態との間の範囲にある、張力のさまざまな程度または量になるように制御され得るということが理解されるべきである。それに加えて、テンショニング・システム３００は、所定の張力設定またはユーザ定義の張力設定を含むことが可能である。図８および図９は、緩められた状態（図８）と締め付けられた状態（図９）との間で動作するテンショニング・システム３００の例示的な実施形態を図示している。テンショニング・アッセンブリ３０２を使用してテンショニング・システム３００を締め付けるおよび／または緩める方法は、締め付けられた状態から緩められた状態へテンショニング・システム３００を緩めるために、逆の順序で実施され得るということが理解されるべきである。
【００５２】
ここで図８を参照すると、緩められた状態にあるテンショニング・システム３００の例示的な実施形態が図示されている。この実施形態では、着用者の足８００が、最初に緩められた状態において、テンショニング・システム３００によって物品１００の中へ挿入される。緩められた状態において、紐掛けシステム１３０および複数のストラップ部材１３６は、締められておらず、または、開位置にあり、アッパー１２０の内部空洞の中への足８００の侵入を可能にする。紐３４０は、紐掛けシステム１３０のストラップ部材１３６に接続されており、また、リール部材３１０の中央フランジ３２２の中のアパーチャ３３０を通して配設されることによって、テンショニング・アッセンブリ３０２のリール部材３１０に相互接続されている。この構成によって、リール部材３１０の部分の周りに紐３４０を巻き付けることは、紐３４０の中の張力が、紐掛けシステム１３０の複数のストラップ部材１３６を閉位置へ引っ張ること、およびテンショニング・システム３００が締め付けられた状態であるときに、足８００の周りにアッパー１２０を締め付けることを引き起こすこととなる。
【００５３】
図９は、締め付けられた状態にあるテンショニング・システム３００の例示的な実施形態を図示している。この実施形態では、テンショニング・アッセンブリ３０２は、中心軸に対して第１の回転方向に（たとえば、反時計回りに）リール部材３１０を回転させ、紐３４０に張力を印加し、テンショニング・システム３００を締め付ける。アパーチャ３３０を通した紐３４０と中央フランジ３２２との相互接続は、リール部材３１０が第１の回転方向に回転するときに、第１の紐部分５００が第１のシャフト・セクション６１０の周りに巻き付くことを引き起こし、また、第２の紐部分５０２が第２のシャフト・セクション６１２の周りに巻き付くことを引き起こす。紐３４０に印加され、紐３４０から複数のストラップ部材１３６へ伝達される張力は、紐掛けシステム１３０を閉位置へ移動させ、テンショニング・システム３００が締め付けられた状態であるときに、足８００の周りにアッパー１２０を固定する。
【００５４】
同様に、リール部材３１０の回転が、反対側の第２の回転方向に行われ、シャフト３１２の部分から紐３４０を巻き出し、上記の図８に示されているように、テンショニング・システム３００を緩められた状態に戻すことが可能である。それに加えて、いくつかの実施形態では、第２の回転方向へのリール部材３１０の回転は、紐３４０および／もしくはストラップ部材１３６、またはその両方をユーザが手動で引っ張ることによって、モータ３５０によって実施され得る。
【００５５】
例示的な実施形態では、第１の回転方向および第２の回転方向のいずれかまたは両方へのリール部材３１０の回転は、紐３４０がリール部材３１０のシャフト３１２の両部分の周りに実質的に等しく巻き付くかまたは巻き出ることを引き起こすこととなる。すなわち、第１のシャフト・セクション６１０上に巻き付けられる第１の紐部分５００の量、および第２のシャフト・セクション６１２上に巻き付けられる第２の紐部分５０２の量は、テンショニング・システム３００が締め付けられた状態であるときに、中央フランジ３２２の両側においておおよそ等しくなることとなる。同様に、リール部材３１０からの紐３４０の巻き出しの間に、テンショニング・システム３００が締め付けられた状態から緩められた状態になると、紐３４０のおおよそ等しい部分が、中央フランジ３２２の両側から巻き出される。すなわち、第１のシャフト・セクション６１０から巻き出されるかまたは解かれる第１の紐部分５００の量、および第２のシャフト・セクション６１２からから巻き出されるかまたは解かれる第２の紐部分５０２の量は、おおよそ等しくなることとなる。
【００５６】
いくつかの実施形態では、リール部材は、履物物品のさまざまな部分を横切ってテンショニング・システムを通して張力を分配することを支援する装備が設けられ得る。図１０〜図１２は、面取りされたアパーチャ１０３０を有するリール部材１０００の代替的な実施形態を図示している。リール部材１０００は、上記に説明されている、リール部材３１０と実質的に同様であるが、アパーチャ３３０の代わりに、面取りされたアパーチャ１０３０を含む。面取りされたアパーチャ１０３０は、アパーチャ３３０と実質的に同様であるが、アパーチャ１０３０を形成する開口部の外周に沿って、面取りされた表面を有している。面取りされたアパーチャ１０３０の外周に沿って面取りすることは、摩擦を低減させることが可能であり、また、面取りされたアパーチャ１０３０を通して紐３４０をスライドさせることを支援することが可能である。この構成によって、面取りされたアパーチャ１０３０は、アッパーおよび／または履物物品のさまざまな部分を横切って、テンショニング・システム３００の中の紐３４０の張力を調節することを支援することが可能である。
【００５７】
ここで図１０を参照すると、リール部材１０００は、第１の端部１０１０から第２の端部１０１２へリール部材１０００の長手方向の長さに沿って延在する中心軸を有している。リール部材３１０に関して上記に説明されているように、リール部材１０００も、第１の回転方向および反対側の第２の回転方向に中心軸に対して回転するように構成されており、第１のシャフト・セクション１０５０、第２のシャフト・セクション１０５２、第３のシャフト・セクション１０５４、および第４のシャフト・セクション１０５６を含む、シャフトの部分の周りに紐３４０を巻き付けるかまたは巻き出す。それに加えて、リール部材１０００は、ねじまたは他のメカニズムなどのような、第２の端部１０１２に配設されている同様の装備を含むことが可能であり、この装備は、ギヤ３５４および／またはクランクシャフト３５２を含む、１つまたは複数のギヤ・アッセンブリ・構成要素と係合するように構成されており、モータ３５０と連絡している状態になっており、第１の回転方向および／または第２の回転方向に中心軸に対してリール部材１０００を回転させるようになっている。
【００５８】
いくつかの実施形態では、リール部材１０００は、シャフトから離れるように延在する複数のフランジを参照して説明され得る。たとえば、第１のシャフト部分１０５０は、第１の端部フランジ１０２０と中央フランジ１０２２との間に延在しており、第２のシャフト部分１０５２は、第２の端部フランジ１０２４と中央フランジ１０２２との間に延在している。また、リール部材１０００のシャフトは、第１の端部フランジ１０２０から第１の端部１０１０へ延在する第３のシャフト・セクション１０５４と、第２の端部フランジ１０２４から第２の端部１０１２へ延在する第４のシャフト・セクション１０５６とを含むことが可能である。
【００５９】
いくつかの実施形態では、リール部材１０００の複数のフランジのそれぞれは、リール部材１０００の両側端部を向くように配向される表面を備えた２つの対向する面を有している。たとえば、第１の端部フランジ１０２０は、第１の端部１０１０を向くように配向された表面を有する外側面１０４０と、第２の端部１０１２を向くように配向された表面を有する反対側の内側面１０４１とを有している。同様に、第２の端部フランジ１０２４は、第２の端部１０１２を向くように配向された表面を有する外側面１０４５と、第１の端部１０１０を向くように配向された表面を有する反対側の内側面１０４４とを有している。中央フランジ１０２２は、第１の面１０４２および反対側の第２の面１０４３を含む。中央フランジ１０２２の第１の面１０４２は、第１の端部１０１０を向くように配向され、第１の端部フランジ１０２０の内側面１０４１の方を向いている、表面を有している。中央フランジ１０２２の第２の面１０４３は、第２の端部１０１２を向くように配向され、第２の端部フランジ１０２４の内側面１０４４の方を向いている、表面を有している。
【００６０】
例示的な実施形態では、中央フランジ１０２２は、上記に説明されている面取りされたアパーチャ１０３０を含む。面取りされたアパーチャ１０３０は、中央フランジ１０２２の第１の面１０４２と第２の面１０４３との間に延在しており、開口部を提供しており、この開口部は、紐３４０が中央フランジ１０２２の両側または両面の間に延在することを可能にする。この実施形態では、第１の面１０４２および第２の面１０４３上の面取りされたアパーチャ１０３０のそれぞれの開口部は、開口部の周りに面取りされた外周を有している。図１０に示されているように、面取りされたアパーチャ１０３０は、中央フランジ１０２２の第１の面１０４２上の開口部の外周に沿って、第１の面取りされた表面１０３２を有しており、また、中央フランジ１０２２の第２の面１０４３上の開口部の外周に沿って、第２の面取りされた表面１０３３を有している。
【００６１】
いくつかの実施形態では、第１の面取りされた表面１０３２および第２の面取りされた表面１０３３は、開口部の外周の周りに延在する傾斜した縁部または角度付きの縁部であることが可能である。第１の面取りされた表面１０３２および／または第２の面取りされた表面１０３３の傾斜または角度は、紐３４０がテンショニング・システム３００の中で張力下にあるときに、面取りされたアパーチャ１０３０との摩擦を低減させる滑らかな表面を提供するのに十分であることが可能である。１つの実施形態では、第１の面取りされた表面１０３２および／または第２の面取りされた表面１０３３の傾斜または角度は、おおよそ４５度であることが可能である。しかし、他の実施形態では、第１の面取りされた表面１０３２および／または第２の面取りされた表面１０３３の傾斜または角度は、紐３４０と面取りされたアパーチャ１０３０との間の摩擦を低減させるために、より大きくても、または、より小さくてもよい。さらなる他の実施形態では、第１の面取りされた表面１０３２および／または第２の面取りされた表面１０３３は、湾曲した形状または丸みを帯びた形状を有することが可能である。
【００６２】
図１１および図１２に示されているように、面取りされたアパーチャ１０３０は、アッパー１２０および／または物品１００のさまざまな部分を横切ってテンショニング・システム３００の中の張力を分配することを支援することが可能である。図１１は、テンショニング・システム３００の中の紐３４０の中の張力を分配する例を図示しており、フォアフット領域の張力を減少または低下させ、履物物品のミッドフット領域の中の張力を増加または上昇させる。テンショニング・システム３００の中の紐３４０の張力は、テンショニング・システム３００が緩められた状態であるときに調節され、紐３４０の部分が、面取りされたアパーチャ１０３０を通して自由にスライドすることができるようになっており、また、履物のアッパーおよび／または物品のフォアフット領域およびミッドフット領域に関連付けられた第１の紐部分５００および第２の紐部分５０２のそれぞれの量を変化させることができるようになっている。
【００６３】
この実施形態に示されているように、テンショニング・システム３００は、紐３４０を含むことが可能であり、また、一般的に、履物物品のアッパーのフォアフット領域１１００およびミッドフット領域１１０２に関連付けられ得る。たとえば、フォアフット領域１１００およびミッドフット領域１１０２は、上記に説明されている物品１００のフォアフット領域１０およびミッドフット領域１２に対応することが可能である。紐３４０は、紐掛け領域を横切って繰り返して延在しており、第１のアンカー３４４において、ミッドフット領域１１０２の中のアッパーの一部分にアンカー固定されており、また、第２のアンカー３４６において、フォアフット領域１１００の中のアッパーの一部分にアンカー固定されている。第１のアンカー３４４および／または第２のアンカー３４６は、紐３４０が、リール部材３１０および／またはリール部材１０００などのリール部材の周りに巻き付けられるときに、テンショニング・アッセンブリ３０２によって張力をかけられることを可能にする。
【００６４】
ミッドフット領域１１０２の中に配設されている紐３４０の第１の部分５００の量は、リール部材１０００の中央フランジ１０２２の中の面取りされたアパーチャ１０３０を通ってスライドし、フォアフット領域１１００の中に配設されている紐３４０の第２の部分５０２の量を増加させる。図１１において見られるように、フォアフット領域１１００の中の紐３４０のフォアフット・紐部分１１１０は、初期の第１の分離距離Ｄ１から、増加した第２の分離距離Ｄ２へ増加する。第１の距離Ｄ１から第２の距離Ｄ２への増加は、今ではフォアフット領域１１００の中に配設されている第２の紐部分５０２の量の増加に起因して、テンショニング・システムが締め付けられた状態になると、フォアフット領域１１００の中に位置付けされているテンショニング・システム３００の中の紐３４０の張力が減少または低下することを引き起こす。すなわち、フォアフット領域１１００の中の紐３４０の量を増加させることによって、アッパーおよび／または履物物品のフォアフット領域１１００を横切るテンショニング・システム３００の中の張力が低下し、より快適なおよび／またはカスタマイズされたフィット感が、着用者の足に提供され得る。
【００６５】
同様に、面取りされたアパーチャ１０３０を通して所定の量の紐３４０をスライドさせることは、ミッドフット領域１１０２の中のテンショニング・システム３００の張力を増加させることとなる。図１１において見られるように、ミッドフット領域１１０２の中の紐３４０のミッドフット・紐部分１１１２は、初期の第３の分離距離Ｄ３から、減少した第４の分離距離Ｄ４へ減少する。第３の距離Ｄ３から第４の距離Ｄ４へのこの減少は、今ではミッドフット領域１１０２の中に配設されている第１の紐部分５００の量の減少に起因して、ミッドフット領域１１０２の中に位置付けされているテンショニング・システム３００の中の紐３４０の張力が増加または上昇することを引き起こす。すなわち、ミッドフット領域１１０２の中の紐３４０の量を減少させることによって、アッパーおよび／または履物物品のミッドフット領域１１０２を横切るテンショニング・システム３００の中の張力が増加し、より快適なおよび／またはカスタマイズされたフィット感が、着用者の足に提供され得る。
【００６６】
ここで図１２を参照すると、テンショニング・システム３００の中の紐３４０の中の張力を分配し、ミッドフット領域の張力を減少または低下させ、履物物品のフォアフット領域の中の張力を増加または上昇させる、例が示されている。図１１に示されている例とは対照的に、このケースでは、フォアフット領域１１００の中に配設されている紐３４０の第２の部分５０２の量が、リール部材１０００の中央フランジ１０２２の中の面取りされたアパーチャ１０３０を通ってスライドし、ミッドフット領域１１０２の中に配設されている紐３４０の第１の部分５００の量を増加させる。図１２において見られるように、ミッドフット領域１１０２の中の紐３４０のミッドフット・紐部分１１１２は、初期の第５の分離距離Ｄ５から、増加した第６の分離距離Ｄ６へ増加する。第５の距離Ｄ５から第６の距離Ｄ６への増加は、今ではミッドフット領域１１０２の中に配設されている第１の紐部分５００の量の増加に起因して、テンショニング・システムが締め付けられた状態になると、ミッドフット領域１１０２の中に位置付けされているテンショニング・システム３００の中の紐３４０の張力が減少または低下することを引き起こす。すなわち、ミッドフット領域１１０２の中の紐３４０の量を増加させることによって、アッパーおよび／または履物物品のミッドフット領域１１０２を横切るテンショニング・システム３００の中の張力が低下し、より快適なおよび／またはカスタマイズされたフィット感が、着用者の足に提供され得る。
【００６７】
同様に、面取りされたアパーチャ１０３０を通して所定の量の紐３４０をスライドさせることは、フォアフット領域１１００の中のテンショニング・システム３００の張力を増加させることとなる。図１２において見られるように、フォアフット領域１１００の中の紐３４０のフォアフット・紐部分１１１０は、初期の第７の分離距離Ｄ７から、減少した第８の分離距離Ｄ８へ減少する。第７の距離Ｄ７から第８の距離Ｄ８へのこの減少は、今ではフォアフット領域１１００の中に配設されている第２の紐部分５０２の量の減少に起因して、フォアフット領域１１００の中に位置付けされているテンショニング・システム３００の中の紐３４０の張力が増加または上昇することを引き起こす。すなわち、フォアフット領域１１００の中の紐３４０の量を減少させることによって、アッパーおよび／または履物物品のフォアフット領域１１００を横切るテンショニング・システム３００の中の張力が増加し、より快適なおよび／またはカスタマイズされたフィット感が、着用者の足に提供され得る。
【００６８】
テンショニング・システム３００の中の張力は、面取りされたアパーチャ１０３０を介した紐３４０とリール部材１０００との間の相互接続に起因して、このように変化し得る。上記に説明されているように、おおよそ等しい量の紐３４０が、テンショニング・システム３００が張力をかけられた状態であるときに、中央フランジ１０２２の両側において、シャフトの周りに巻き付けられる。この実施形態では、ミッドフット領域１１０２の中の第１の紐部分５００およびフォアフット領域１１００の中の第２の紐部分５０２に対応する紐３４０の量を変化させることによって、これらの領域のそれぞれの中に印加される張力の相対的な量は、紐３４０がリール部材１０００の周りに巻き付けられるときに変化することとなる。この構成によって、履物物品のミッドフット領域１１０２およびフォアフット領域１１００の中のテンショニング・システム３００の張力は、ミッドフット領域１１０２に関連付けられた第１の紐部分５００の量を変化させることによって、およびフォアフット領域１１００に関連付けられた第２の紐部分５０２の量を変化させることによって、調節され得る。
【００６９】
それに加えて、リール部材１０００の中の面取りされたアパーチャ１０３０の第１の面取りされた表面１０３２および／または第２の面取りされた表面１０３３は、面取りされたアパーチャ１０３０と紐３４０との間の摩擦を低減させ、着用者が面取りされたアパーチャ１０３０を通して紐３４０をスライドさせること、およびテンショニング・システム３００の中の紐３４０の張力を調節することを可能にすることを支援する。
【００７０】
図１３は、例示的な実施形態において、履物物品のためのテンショニング・システムを作製するためのフローチャートである。履物物品は、物品１００または任意の他の適切な物品であることが可能である。動作のいくつかまたはすべては、随意的であり、必要に応じて、または、望まれる通りに、実装されるかまたは省略されるかのいずれかであり得る。
【００７１】
１３００において、リール部材が取得される。例では、リール部材は、中心軸に対して回転するように構成されており、また、シャフトを含み、シャフトは、第１の端部から第２の端部へ延びる中心軸と、少なくとも１つのフランジとを含み、少なくとも１つのフランジは、第２の面の反対側に第１の面を含み、シャフトに沿って配設されており、シャフトは、第１の面から第２の面へ少なくとも１つのフランジの中心を通って延在する。例では、リール部材は、動作１３０２から動作１３１０の動作にしたがってリール部材を作製することによって取得される。
【００７２】
１３０２において、第１の端部から第２の端部へ延びる中心軸を含むシャフトが形成される。
１３０４において、フランジは、第２の面の反対側に第１の面を含み、シャフトから半径方向外向きに延在するシャフトに沿って形成されている。例では、フランジは、中央フランジである。例では、フランジは、シャフトに沿って配設されており、シャフトが第１の面から第２の面へ少なくとも１つのフランジの中心を通って延在する。
【００７３】
１３０６において、第１の端部フランジが、シャフトに沿って形成される。
１３０８において、第２の端部フランジが、中央フランジに関して第１の端部フランジの反対側に形成される。
【００７４】
１３１０において、中心軸と整合している、第１の面から第２の面へフランジを通って延在するアパーチャが形成される。例では、アパーチャは、フランジの第１の面から第２の面を通って中心軸に対して平行に延在している。
【００７５】
１３１２において、ギヤは、テンショニング・システムのリール部材およびモータと連絡して配置されており、中心軸に対してリール部材を回転させる。
１３１４において、シャフトは、シャフトの中心軸に沿って両側端部に配設されている、第１の端部および第２の端部を含み、ねじが、第２の端部に固定される。例では、ねじを固定することは、リール部材に対してギヤを固定する。
【００７６】
１３１６において、紐の一部分は、アパーチャを通って延在し、紐をリール部材と相互接続させる。例では、紐は、第１の端部、第２の端部、および中間部分を含み、中間部分の第１のセグメントは、アパーチャを通って延在しており、紐の中間部分の第２のセグメントは、第１の面に隣接するシャフトの近位にあり、紐の中間部分の第３のセグメントは、第２の面に隣接するシャフトの近位にあり、紐に掛かる張力を誘発する。例では、紐を延在させることは、フランジの反対側に、紐の等しい部分を配置することを含む。
【００７７】
１３１８において、モータは、リール部材と連絡して配置されており、リール部材を回転させる。
１３２０において、リール部材は、第１の回転方向に中心軸に対して回転し、紐を巻き付け、テンショニング・システムを締め付ける。例では、ギヤが、リール部材とモータとの間に連結されており、モータが、ギヤを介してリール部材を回転させる。
【００７８】
例
例１では、履物物品のためのテンショニング・システムであって、テンショニング・システムは、中心軸に対して回転するように構成されたリール部材を含み、リール部材は、第１の端部から第２の端部へ延びる中心軸を含み、かつ、中心軸に対して平行であるシャフトと、少なくとも１つのフランジであって、第２の面の反対側に第１の面を含み、シャフトに沿って配設されており、シャフトが第１の面から第２の面へ少なくとも１つのフランジの中心を通って延在する、少なくとも１つのフランジとを備え、少なくとも１つのフランジは、フランジの第１の面から第２の面を通って中心軸に対して平行に延在するアパーチャを含む。テンショニング・システムは、第１の端部、第２の端部、および中間部分を含む紐であって、中間部分の第１のセグメントは、アパーチャを通って延在している、紐をさらに備え、リール部材を回転させることは、紐の中間部分の第２のセグメントを、第１の面に隣接するシャフト上に巻き付け、かつ、紐の中間部分の第３のセグメントを、第２の面に隣接するシャフト上に巻き付け、紐に掛かる張力を誘発する。
【００７９】
例２では、例１のテンショニング・システムは、随意的に以下のことをさらに含む：リール部材は、第１の回転方向に中心軸に対して回転し、紐を巻き付け、テンショニング・システムを締め付ける。
【００８０】
例３では、例１または２の任意の１つまたは複数のテンショニング・システムは、随意的に以下のことをさらに含む：リール部材は、第１の回転方向とは反対の第２の回転方向に中心軸に対して回転し、紐を巻き出し、テンショニング・システムを緩める。
【００８１】
例４では、例１〜３の任意の１つまたは複数のテンショニング・システムは、随意的に以下のことをさらに含む：第１の回転方向および第２の回転方向のうちの少なくとも一方への回転は、テンショニング・システムに関連付けられたモータを使用して実施される。
【００８２】
例５では、例１〜４の任意の１つまたは複数のテンショニング・システムは、随意的に以下のことをさらに含む：第２の回転方向への回転は、テンショニング・システムが緩められた状態である間に、紐に張力を印加することによって実施される。
【００８３】
例６では、例１〜５の任意の１つまたは複数のテンショニング・システムは、随意的に以下のことをさらに含む：フランジは、シャフトから半径方向外向きに延在しており、アパーチャは、シャフトから間隔を離して配置されている。
【００８４】
例７では、例１〜６の任意の１つまたは複数のテンショニング・システムは、随意的に以下のことをさらに含む：アパーチャは、フランジの周囲縁部に隣接して位置付けされている。
【００８５】
例８では、履物物品のためのテンショニング・システムは、モータと、モータと連絡しているリール部材と、紐と、を備え、リール部材は、第１の端部から第２の端部へ延びる中心軸を含むシャフトと、シャフトに沿って配設されている少なくとも３つのフランジとを備え、少なくとも３つのフランジのうちの中央フランジは、中央フランジの第１の面から第２の面へ中央フランジを通って延在するアパーチャを含み、アパーチャは、中心軸と整合しており、紐の一部分は、中央フランジの中のアパーチャを通って延在し、紐をリール部材と相互接続させており、紐は、テンショニング・システムが締め付けられた状態であるときに、中央フランジの両側に配設されているシャフトの部分の周りに巻き付けられるように構成されている。
【００８６】
例９では、例８のテンショニング・システムは、随意的に以下のことをさらに含む：テンショニング・システムが締め付けられた状態であるときに、紐の等しい部分が、フランジの両側に配設されている。
【００８７】
例１０では、例８および９の任意の１つまたは複数のテンショニング・システムは、随意的に以下のことをさらに含む：テンショニング・システムが締め付けられた状態から緩められた状態になると、紐の等しい部分が、フランジの両側から巻き出される。
【００８８】
例１１では、例８〜１０の任意の１つまたは複数のテンショニング・システムは、随意的に以下のことをさらに含む：アパーチャは、アパーチャの外周の周りにおいて面取りされている。
【００８９】
例１２では、例８〜１１の任意の１つまたは複数のテンショニング・システムは、随意的に以下のことをさらに含む：紐は、アパーチャを通ってスライドして、テンショニング・システムの異なる部分における張力を調節するように構成されている。
【００９０】
例１３では、例８〜１２の任意の１つまたは複数のテンショニング・システムは、随意的に以下のことをさらに含む：紐は、アパーチャを通ってスライドして、履物物品のミッドフット領域に関連付けられた紐の第１の部分の量を調節し、かつ、履物物品のフォアフット領域に関連付けられた紐の第２の部分の量を調節する。
【００９１】
例１４では、例８〜１３の任意の１つまたは複数のテンショニング・システムは、随意的に以下のことをさらに含む：少なくとも３つのフランジは、第１の端部フランジ、中央フランジおよび第２の端部フランジを備え、中央フランジは、第１の端部フランジと第２の端部フランジとの間において、シャフト上に位置付けされている。
【００９２】
例１５では、例８〜１４の任意の１つまたは複数のテンショニング・システムは、随意的に以下のことをさらに含む：紐の第１の部分は、テンショニング・システムが締め付けられた状態であるときに、第１の端部フランジと中央フランジとの間に配設されている第１のシャフト・セクション上に巻き付けられ、紐の第２の部分は、テンショニング・システムが締め付けられた状態であるときに、第２の端部フランジと中央フランジとの間に配設されている第２のシャフト・セクション上に巻き付けられる。
【００９３】
例１６では、履物物品のテンショニング・システムのためのリール部材は、第１の端部から第２の端部へ延びる中心軸を含むシャフトと、少なくとも１つのフランジであって、第２の面の反対側に第１の面を含み、シャフトから半径方向外向きに延在している、少なくとも１つのフランジと、を備え、少なくとも１つのフランジは、中心軸に整合し、かつ、第１の面から第２の面へフランジを通って延在するアパーチャを含む。
【００９４】
例１７では、例１６のリール部材は、随意的に、少なくとも３つのフランジをさらに備え、少なくとも３つのフランジのうちの中央フランジは、アパーチャを含む。
例１８では、例１６および１７の任意の１つまたは複数のリール部材は、随意的に、リール部材の中心軸に沿って両側端部に配設されている、第１の端部および第２の端部をさらに含み、リール部材は、第２の端部に配設されているねじを含む。
【００９５】
例１９では、例１６〜１８の任意の１つまたは複数のリール部材は、随意的に以下のことをさらに含む：ねじは、テンショニング・システムのモータと連絡しているギヤを受け入れるように構成されており、中心軸に対してリール部材を回転させる。
【００９６】
例２０では、例１６〜１９の任意の１つまたは複数のリール部材は、随意的に以下のことをさらに含む：リール部材は、アパーチャを通して紐を受け入れるように構成されており、第１の回転方向への中心軸に対するリール部材の回転は、少なくとも１つのフランジの両側に、紐の部分を巻き付けるように構成されている。
【００９７】
例２１では、方法は、中心軸に対して回転するように構成されたリール部材を取得する工程を含み、リール部材は、第１の端部から第２の端部へ延びる中心軸を含むシャフト、および少なくとも１つのフランジであって、第２の面の反対側に第１の面を含み、シャフトに沿って配設されており、シャフトが第１の面から第２の面へ少なくとも１つのフランジの中心を通って延在する、少なくとも１つのフランジを備え、少なくとも１つのフランジは、フランジの第１の面から第２の面を通って中心軸に対して平行に延在するアパーチャを含む。また、方法は、アパーチャを通して紐を延在させる工程を備え、紐は、第１の端部、第２の端部および中間部分を含み、中間部分の第１のセグメントは、アパーチャを通って延在しており、紐の中間部分の第２のセグメントは、第１の面に隣接するシャフトの近位にあり、紐の中間部分の第３のセグメントは、第２の面に隣接するシャフトの近位にあり、紐に掛かる張力を誘発する。
【００９８】
例２２では、例２１の方法は、随意的に、第１の回転方向に中心軸に対してリール部材を回転させ、紐を巻き付け、テンショニング・システムを締め付ける工程をさらに備える。
【００９９】
例２３では、例２１および２２の任意の１つまたは複数の方法は、随意的に、リール部材を回転させるために、リール部材と連絡してモータを配置する工程をさらに備える。
例２４では、例２１〜２３の任意の１つまたは複数の方法は、随意的に、リール部材とモータとの間に少なくとも１つのギヤを連結する工程であって、モータは、ギヤを介してリール部材を回転させる、工程をさらに備える。
【０１００】
例２５では、方法は、モータと連絡してリール部材を配置する工程であって、リール部材は、第１の端部から第２の端部へ延びる中心軸を含むシャフトと、シャフトに沿って配設されている少なくとも３つのフランジとを備え、少なくとも３つのフランジのうちの中央フランジは、中央フランジの第１の面から第２の面へ中央フランジを通って延在するアパーチャを含み、アパーチャは、中心軸と整合している、工程と、アパーチャを通して紐の一部分を延在させ、紐をリール部材と相互接続させる工程と、を備える。
【０１０１】
例２６では、例２５の方法は、随意的に以下のことをさらに含む：紐を延在させる工程は、フランジの両側に紐の等しい部分を配置する工程を備える。
例２７では、方法は、第１の端部から第２の端部へ延びる中心軸を含むシャフトを形成する工程と、シャフトに沿ってフランジを形成する工程であって、フランジは、第２の面の反対側に第１の面を含み、シャフトから半径方向外向きに延在している、工程と、中心軸と整合している、第１の面から第２の面へフランジを通って延在するアパーチャを形成する工程と、を備える。
【０１０２】
例２８では、例２７の方法は、随意的に以下のことをさらに含む：フランジは、中央フランジであり、方法は、シャフトに沿って第１の端部フランジを形成する工程と、中央フランジに関して第１の端部フランジの反対側に第２の端部フランジを形成する工程と、をさらに備える。
【０１０３】
例２９では、例２７および２８の任意の１つまたは複数の方法は、随意的に以下のことをさらに含む：シャフトは、シャフトの中心軸に沿って両側端部に配設されている、第１の端部および第２の端部を含み、方法は、第２の端部にねじを固定する工程をさらに備える。
【０１０４】
例３０では、例２７〜２９の任意の１つまたは複数の方法は、随意的に、中心軸に対してリール部材を回転させるために、テンショニング・システムのリール部材およびモータと連絡してギヤを配置する工程をさらに含み、ねじを固定する工程は、リール部材に対してギヤを固定する。
【０１０５】
例３１では、例２７〜３０の任意の１つまたは複数の方法は、随意的に、アパーチャを通して紐の一部分を延在させ、紐をリール部材と相互接続させる工程をさらに備える。
例３２では、方法は、例１〜２０の任意の１つまたは複数の中のテンショニング・システムおよび／またはリール部材のうちの任意の１つまたは複数を使用する工程を備える。
【０１０６】
例３３では、履物物品は、例１〜２０の任意の１つまたは複数の中のテンショニング・システムおよび／またはリール部材のうちの任意の１つまたは複数を備える。
本発明のさまざまな実施形態が説明されてきたが、説明は、限定するというよりもむしろ、例示的であるということが意図されており、本発明の範囲の中にある、より多くの実施形態および実装形態が可能であるということが当業者に明らかになることとなる。したがって、添付されている特許請求の範囲およびその均等物の観点を除いて、本発明は、制限されるべきではない。また、さまざまな修正および変化が、添付されている特許請求の範囲の中で行われ得る。
【図１】
2019509820.tif 000003
【図２】
2019509820.tif 000004
【図３】
2019509820.tif 000005
【図４】
2019509820.tif 000006
【図５】
2019509820.tif 000007
【図６】
2019509820.tif 000008
【図７】
2019509820.tif 000009
【図８】
2019509820.tif 000010
【図９】
2019509820.tif 000011
【図１０】
2019509820.tif 000012
【図１１】
2019509820.tif 000013
【図１２】
2019509820.tif 000014
【図１３】
2019509820.tif 000015
【国際調査報告】
2019509820.tif 000016
2019509820.tif 000017